(57)【要約】【課題】外観意匠性を向上させるとともに、同一住宅内におけるプライバシーの保護を可能とすること。【解決手段】住宅（１）は、屋内空間と屋外空間とを仕切るように配置された外壁部（２１）と、袖壁（４１）と、庇（４２）とを備えている。袖壁（４１）は、屋外空間において外壁部に交差し、特定階の天井レベルから床レベルにまで延在している。庇（４２）は、袖壁（４１）の上端部に一端が連結され、外壁部（２１）の横幅方向一方端部まで水平方向に延びている。外壁部（２１）のうち、袖壁（４１）と庇（４２）とに囲まれた第１の部分（２１１）と、袖壁（４１）よりも横幅方向他方端部側に位置する第２の部分（２１２）との双方に、屋内空間に繋がる開口部（６）が設けられている。【選択図】図１
2016138388.tif 000002
【特許請求の範囲】
【請求項１】
屋内空間と屋外空間とを仕切るように配置された外壁部と、
前記屋外空間において前記外壁部に交差し、特定階の天井レベルから床レベルにまで延在する袖壁と、
前記袖壁の上端部に一端が連結され、前記外壁部の横幅方向一方端部まで水平方向に延びる庇とを備え、
前記外壁部のうち、前記袖壁と前記庇とに囲まれた第１の部分と、前記袖壁よりも横幅方向他方端部側に位置する第２の部分との双方に、前記屋内空間に繋がる開口部が設けられている、住宅。
【請求項２】
前記第１および第２の部分の開口部のいずれか一方は、人が出入りする扉を含み、
前記第１および第２の部分の開口部の他方は、その奥に位置するプライベート空間の窓を含む、請求項１に記載の住宅。
【請求項３】
前記袖壁の屋外側端面と前記庇の屋外側端面とは、面一状である、請求項１または２に記載の住宅。
【請求項４】
前記袖壁と前記庇とが、屋外側から見てＬ字状に形成されている、請求項１〜３のいずれかに記載の住宅。
【請求項５】
前記庇の他端は、前記外壁部の横幅方向一方端部よりも外方向へ突出している、請求項１〜４のいずれかに記載の住宅。
【請求項６】
前記外壁部は、前記特定階と、前記特定階の上方に隣接する上階とに跨って配置されており、
前記上階の上方に配置された、勾配を有する勾配屋根をさらに備える、請求項１〜５のいずれかに記載の住宅。
【請求項７】
前記第２の部分は、前記第１の部分よりも後退した位置に配置されており、
前記第２の部分の上方には、前記上階のバルコニーが設けられ、
前記バルコニーの腰壁は、前記庇の屋外側端面よりも奥に位置し、かつ、前記袖壁に隣接している、請求項６に記載の住宅。
【請求項８】
前記庇の上には、前記上階のベランダが設けられている、請求項６または７に記載の住宅。
【請求項９】
前記屋内空間に第１の世帯および第２の世帯が居住する二世帯住宅である、請求項１〜８のいずれかに記載の住宅。
【請求項１０】
前記第１の部分の開口部は、前記第１の世帯の専有部分であり、
前記第２の部分の開口部は、前記第２の世帯の専有部分である、請求項９に記載の住宅。
【発明の詳細な説明】
【技術分野】
【０００１】
本発明は、住宅に関し、特に、戸建住宅に関する。
【背景技術】
【０００２】
従来から、外観の意匠性を高めるために、次のような住宅が提案されている。特開２０１３−１２７１８１号公報（特許文献１）では、２階の正面外壁に片持ちのオーバーハング部およびキャンティバルコニーが設けられ、１階部分と２階部分との境界付近に、外方向に向かって水平に突出するフラット庇が設けられた戸建住宅が開示されている。また、２階のキャンティバルコニーは、オーバーハング部と袖壁とによって挟まれることで、隣地に建てられた住宅からキャンティバルコニーおよび屋内への視線を遮ることができ、プライバシーの保護が図れることが開示されている。
【先行技術文献】
【特許文献】
【０００３】
【特許文献１】特開２０１３−１２７１８１号公報
【発明の概要】
【発明が解決しようとする課題】
【０００４】
一般的に、外観意匠性を向上させようとすると、プライバシー保護性が低下し易く、これらの両立は難しい。上記特許文献１に開示された住宅は、これらの両方を考慮した構造ではあるものの、隣地に建てられた他の住宅からのプライバシーが保護されているに過ぎない。
【０００５】
本発明は、上記のような課題を解決するためになされたものであって、その目的は、外観意匠性を向上させるとともに、同一住宅内においてもプライバシーを保護することのできる住宅を提供することである。
【課題を解決するための手段】
【０００６】
この発明のある局面に従う住宅は、屋内空間と屋外空間とを仕切るように配置された外壁部と、袖壁と、庇とを備える。袖壁は、屋外空間において外壁部に交差し、特定階の天井レベルから床レベルにまで延在する。庇は、袖壁の上端部に一端が連結され、外壁部の横幅方向一方端部まで水平方向に延びている。当該住宅において、外壁部のうち、袖壁と庇とに囲まれた第１の部分と、袖壁よりも横幅方向他方端部側に位置する第２の部分との双方に、屋内空間に繋がる開口部が設けられている。
【０００７】
好ましくは、第１および第２の部分の開口部のいずれか一方は、人が出入りする扉を含み、第１および第２の部分の開口部の他方は、その奥に位置するプライベート空間の窓を含む。
【０００８】
好ましくは、袖壁の屋外側端面と庇の屋外側端面とは、面一状である。
【０００９】
好ましくは、袖壁と庇とが、屋外側から見てＬ字状に形成されている。
【００１０】
庇の他端は、外壁部の横幅方向一方端部よりも外方向へ突出していることが望ましい。
【００１１】
また、外壁部は、特定階と、特定階の上方に隣接する上階とに跨って配置されており、当該住宅は、上階の上方に配置された、勾配を有する勾配屋根をさらに備えていることが望ましい。
【００１２】
この場合、第２の部分は、第１の部分よりも後退した位置に配置されており、第２の部分の上方には、上階のバルコニーが設けられていてもよい。バルコニーの腰壁は、庇の屋外側端面よりも奥に位置し、かつ、袖壁に隣接していることが望ましい。
【００１３】
庇の上には、上階のベランダが設けられていてもよい。
【００１４】
当該住宅は、屋内空間に第１の世帯および第２の世帯が居住する二世帯住宅であってもよい。
【００１５】
その場合、第１の部分の開口部は、第１の世帯の専有部分であり、第２の部分の開口部は、第２の世帯の専有部分であってもよい。
【発明の効果】
【００１６】
本発明によれば、外観意匠性を向上させることができる。また、同一住宅内においてプライバシーを保護することができる。
【図面の簡単な説明】
【００１７】
【図１】本発明の実施の形態に係る住宅の正面側の外観を示す図である。
【図２】本発明の実施の形態に係る住宅の１階の構成を部分的に示した平面図である。
【図３】本発明の実施の形態に係る住宅の２階の構成を部分的に示した平面図である。
【発明を実施するための形態】
【００１８】
本発明の実施の形態について図面を参照しながら詳細に説明する。なお、図中同一または相当部分には同一符号を付してその説明は繰返さない。
【００１９】
はじめに、図１を参照して、本実施の形態に係る住宅１０の概要について説明する。図１には、正面側から見た住宅１０が示されている。以下の説明において、住宅１０の正面側を前方、裏面側を後方という。なお、住宅１０の正面側とは、たとえば、玄関扉６２が設けられる側か、屋外の通路に面する側を表わしている。
【００２０】
住宅１０は、一戸建ての住宅であり、居住空間を形成する建物である。住宅１０は、複数階建て、たとえば２階建ての住宅である。
【００２１】
住宅１０は、屋内空間を取り囲むように配置された外壁２と、２階の上方に配置された、勾配を有する勾配屋根３とを有している。外壁２は、典型的には、住宅１０の正面側、裏面側、および左右の側面側において、屋内空間と屋外空間とを仕切るようにそれぞれ配置される４つの外壁部を含む。各外壁部は、平面視において住宅１０の一辺を構成しており、外壁面の一部が後退または突出させられることによる凹凸を有していても良い。各外壁部は、住宅１０の１階および２階に跨って配置されている。
【００２２】
ここで、住宅１０には、その正面側の外壁部（以下、「正面外壁」という）２１から屋外方向、すなわち前方へ突出する袖壁４１および庇４２が設けられている。袖壁４１および庇４２は、正面外壁２１に交差している。袖壁４１は、正面外壁２１の横幅方向両端部を除く中央領域において、１階の床レベルから１階の天井レベル（すなわち２階の床レベル）にかけて立設されている。正面外壁２１（基準面２１０）からの袖壁４１の突出寸法は、少なくとも４５５ｍｍ以上であり、望ましくは１８２０ｍｍ以上である。図２には、正面外壁２１の横幅方向が矢印Ａ１にて示され、正面外壁２１を基準とした屋外方向（屋外側）が矢印Ａ２にて示されている。
【００２３】
庇４２は、袖壁４１の上端部に一端が連結され、正面外壁２１の横幅方向一方端部まで水平方向に延びている。なお、本実施の形態では、正面外壁２１の横幅方向一方側が正面から見て左側、横幅方向他方側が正面から見て右側であるものとするが、これらは逆であってもよい。
【００２４】
庇４２は、高さ方向に厚みを有する大型庇である。庇４２は、袖壁４１との連結部を除き、同一の厚みで水平方向に延在している。庇４２の厚みは、袖壁４１と略同じ厚みか、あるいは、袖壁４１の厚み以上である。庇４２の前端面（屋外側端面）４２０は、袖壁４１の前端面（屋外側端面）４１０と面一状となっていることが望ましい。庇４２の他端側（左側）には、袖壁は設けられておらず、袖壁４１と庇４２とによって、前方すなわち屋外側から見てＬ字が形成されている。これにより、住宅１０の外観意匠性が向上される。
【００２５】
なお、庇４２の他端は、正面外壁２１の左端位置よりも左側（外方向）へ突出していることが望ましい。これにより、庇４２の存在感を際立たせることができる。また、その場合、庇４２は、住宅１０の左側面を構成する外壁部（左側壁）２２側にまで回り込んでいてもよい。つまり、庇４２は、平面視においてＬ字状に延在し、正面側に位置する部分と、側面側に位置する部分とを有していてもよい。これにより、庇下空間８２は、平面視においてＬ字状に形成される。
【００２６】
また、袖壁４１および庇４２を強調させるために、袖壁４１および庇４２の色を、正面外壁２１の色と異ならせてもよい。
【００２７】
次に、図２および図３をさらに参照して、このような住宅１０の構造例について、詳細に説明する。
【００２８】
上述のように、袖壁４１は、１階の正面外壁２１の中央領域に設けられている。そのため、１階の正面外壁２１は、袖壁４１と庇４２とによって囲まれた第１の部分２１１と、袖壁４１よりも右側（横幅方向他方端部側）に位置する第２の部分２１２とに区分される。袖壁４１は、横幅方向中央位置よりも右寄りに配置されている。そのため、第１の部分２１１の横幅の方が、第２の部分２１２の横幅よりも大きい。
【００２９】
図１および図２に示されるように、正面外壁２１の第１の部分２１１と第２の部分２１２との双方に、１階の屋内空間８１に繋がる開口部６が設けられている。住宅１０の屋内空間８１は、非居室と居室とを含む。１階の屋内空間８１の非居室には、トイレなどのサニタリー室の他、玄関ホールや廊下など人が行き来するオープンな公的空間８１１が含まれる。また、１階の屋内空間８１の居室には、リビングや和室など居住者が寛ぐプライベート空間８１２が含まれる。公的空間８１１とプライベート空間８１２とは、間仕切壁８１３によって仕切られている。
【００３０】
正面外壁２１の第２の部分２１２における開口部６は、公的空間８１１に隣接しており、人が出入りする扉６２によって構成される。典型的には、扉６２は、玄関扉である。この場合、玄関扉６２の奥に位置する公的空間８１１は、玄関ホール（土間を含む）である。これに対し、正面外壁２１の第１の部分２１１における開口部６は、その奥に位置するプライベート空間８１２の窓６１によって構成されている。この場合、窓６１は、たとえば掃出し窓である。
【００３１】
本実施の形態では、１階の正面外壁２１の玄関扉６２と窓６１との間に、前方へ突出する袖壁４１が設けられている。そのため、正面外壁２１の前方空間が、袖壁４１によって左右に分断される。つまり、窓６１の前方の庇下空間８２と、玄関扉６２前の玄関アプローチ８３とが、袖壁４１によって隔離される。その結果、正面外壁２１に並べられた玄関扉６２と窓６１とを、視覚的に分離することができる。
【００３２】
したがって、本実施の形態によれば、玄関扉６２を出入りする人の窓６１への視線を遮ることができる。すなわち、袖壁４１に隣接する玄関アプローチ（屋外空間）８３を通過する居住者または来客者からの視線が、窓６１を介してプライベート空間８１２に向けられることを防止することができる。このように、同一住宅１０内の玄関を行き来する人の視線が遮られるため、プライベート空間８１２において居住者はのんびりと寛ぐことができる。つまり、本実施の形態によれば、同一住宅１０内においてプライバシーを保護することができる。
【００３３】
また、１階の窓６１前の庇下空間８２の左側は開放されている。したがって、庇下空間８２が適度に囲われるため、屋内のプライベート空間８１２が暗い印象となることを避けることができる。また、庇下空間８２の上部の庇４２によって、プライベート空間８１２への日差しが適度に遮られる。そのため、プライベート空間８１２に繋がる窓６１を、第１の部分２１１の全横幅にわたって設けてもよい。
【００３４】
このように、本実施の形態では、玄関アプローチ８３と庇下空間８２とが袖壁４１によって隔離されるため、住宅１０は、屋内空間８１に第１の世帯および第２の世帯が居住する二世帯住宅にも適している。つまり、玄関扉６２は二世帯共通であったとしても、１階の居住者（たとえば親世帯）は、正面の窓６１際のプライベート空間８１２において、２階の居住者（たとえば子世帯）の出入りを気にすることなく寛ぐことができる。この場合、第１の部分２１１の開口部６である窓６１は、第１および第２の世帯のいずれか一方の専有部分であり、第２の部分２１２の開口部６である玄関６２は、第１および第２の世帯の共有部分である。
【００３５】
ここで、正面外壁２１の第２の部分２１２は、第１の部分２１１よりも後退した位置に配置されていることが望ましい。より具体的には、正面外壁２１のうち、袖壁４１と交わる外壁面を基準面２１０とした場合、第２の部分２１２が基準面２１０より後退することによって、正面外壁２１の右側に入隅部が形成されてもよい。つまり、住宅１０の玄関は、住宅１０の右側に位置する入隅部に設けられてもよい。この場合、玄関扉６２が、窓６１の位置（基準面２１０）よりも後方に配置されるため、袖壁４１に連結された入隅部の外壁４３も、袖壁４１と一体となって、プライバシー保護性の向上に寄与する。
【００３６】
また、正面外壁２１の第１の部分２１１においても、基準面２１０より後退した凹部が設けられていてもよい。この場合、たとえば、第１の部分２１１の開放側（左側）の一部２１１ａが基準面２１０よりも後退することによって、正面外壁２１の左側に入隅部が形成されていてもよい。これにより、住宅１０の正面外壁２１自体の凹凸と、正面外壁２１から前方に突出した袖壁４１および庇４２とにより、印象的な外観を演出することができる。この場合、庇４２の他端側は、たとえば、袖壁４１の前端位置よりも後退した位置に設けられた袖壁７１によって支持される。
【００３７】
この場合、第１の部分２１１のうちの後退壁部２１１ａに設けられた開口部６も、１階のプライベート空間８１２に繋がる窓６３である。プライベート空間８１２は、間仕切壁（図示せず）によって、窓６１に隣接する空間と、窓６３に隣接する空間とに区切られていてもよい。なお、後退壁部２１１ａに設けられた開口部６は、人が出入りするための扉により構成されてもよい。当該扉は、たとえば勝手口の扉であってもよいし、住宅１０が二世帯住宅の場合、右側の玄関扉６２とは別に設けられた、玄関扉であってもよい。後者の場合、玄関前空間が庇４２により覆われるため、庇下空間８２のうちの玄関前空間を玄関ポーチとすることができる。
【００３８】
また、この場合、左側の入隅部を構成している、窓６３横の壁体２４にも、プライベート空間８１２に繋がる窓（開口部）６１を設けてもよい。これにより、窓６１が、Ｌ字状の庇下空間８２に隣接してＬ字状に配置されるため、開放的なプライベート空間８１２を作り出すこともできる。この場合、上記した袖壁７１が、壁体２４の窓６１に沿って配置されているため、袖壁７１の存在によって、外部から当該窓６１への視線を遮ることもできる。
【００３９】
本実施の形態の住宅１０は２階建てである。この場合、図１および図３に示されるように、２階の正面外壁２１の前方には、ベランダ８４およびバルコニー８５が設けられている。
【００４０】
ベランダ８４は、庇４２の上に位置している。つまり、庇４２の天井面が、２階のベランダ８４の床面として利用されている。バルコニー８５は、住宅１０の右側の入隅部に設けられている。２階の正面外壁２１のうち、ベランダ８４に隣接する部分（第３の部分）２１３、および、バルコニー８５に隣接する部分（第４の部分）２１４の双方に、２階の屋内空間８１に繋がる掃出し窓（開口部）６４が設けられている。
【００４１】
ベランダ８４の手摺枠７２には、透明または半透明のパネルが嵌められている。そのため、庇４２上にベランダ８４が設けられる場合であっても、庇４２の水平ラインを際立たせることができる。
【００４２】
バルコニー８５は、その上方空間が勾配屋根３の軒部に覆われたインナーバルコニーである。バルコニー８５の前方端部に設けられた腰壁７３は、庇４２の前端面４２０よりも奥（屋内側）に位置している。より具体的には、腰壁７３の前面（屋外側の面）と、腰壁７３に隣接する正面外壁２１（第３の部分２１３）の表面（すなわち基準面２１０）とは、面一状である。また、腰壁７３の前面は、正面外壁２１の表面と同様の素材によって形成されている。これにより、住宅１０の正面の凹凸をバランス良く作り出すことができる。
【００４３】
また、バルコニー８５の腰壁７３の下端高さは、庇４２の下端高さよりも下方に位置している。これにより、腰壁７３が、袖壁４１から、庇４２とは反対方向に向かって、水平方向に広がっているような印象を与えることができる。
【００４４】
なお、バルコニー８５は、住宅１０の右側面を構成する外壁部（右側壁）２３側にまで回り込んで配置されている。つまり、バルコニー８５は、平面視においてＬ字状に延在し、正面側に位置する部分と、側面側に位置する部分とを有していてもよい。バルコニー８５は、１階の右側壁２３から張り出して設けられていてもよい。これにより、庇４２および腰壁７３の双方が、外壁２よりも両外方向に突出するため、住宅１０の横方向の広がりを強調することができる。この場合、バルコニー８５の床部は、たとえば、１階の右側壁２３から離れた位置であって、基準面２１０よりも後方位置に設けられた袖壁７４によって支持される。なお、右側壁２３にも窓が設けられる場合、袖壁７４が配置されることで、外部から当該窓への視線を遮る効果もある。
【００４５】
図１に示されるように、本実施の形態では、勾配屋根３は、正面側から左右方向への傾斜が視認可能となるように設けられている。つまり、勾配屋根３は、正面から見て、頂部から左下方向に傾斜する傾斜部３１と、頂部から右下方向に傾斜する傾斜部３２とのうちの少なくとも一方を有している。そのため、庇４２および腰壁７３の横のラインと、勾配屋根３の斜めのラインとで、住宅１０全体の印象を、独創的なインパクトのある印象とすることができる。
【００４６】
なお、本実施の形態では、正面外壁２１の第１の部分２１１の開口部６は、その奥に位置するプライベート空間８１２に繋がる窓６１を含み、第２の部分２１２の開口部６は、人が出入りする玄関扉６２により構成されることしたが、限定的ではない。たとえば、第２の部分２１２の開口部６は、玄関扉６２に代えて、屋内の別のプライベート空間（居室）に繋がる窓によって構成されてよい。この場合、同一フロアにおいて２つ以上の居室が隣接する場合であっても、各居室の前方空間を専用庭のように演出することができる。したがって、同一フロアに別世帯が同居する場合であっても、第１の部分２１１の開口部６を第１の世帯の専有部分とし、第２の部分２１２の開口部６を第２の世帯の専有部分とすることで、互いのプライバシーを保護することができる。
【００４７】
あるいは、正面外壁２１における第１の部分２１１の開口部６の少なくとも一部を玄関扉６２によって構成し、第２の部分２１２の開口部６を窓６１によって構成してもよい。この場合、第１の部分２１１の横幅を、第２の部分２１２の横幅よりも小さくしてもよい。
【００４８】
また、本実施の形態の住宅１０は、２階建てである例を示したが、３階以上を有していてもよい。この場合、庇４２が取付けられる階としての特定階は、２階以上であってもよい。たとえば、庇４２が２階の天井レベルに配置され、庇４２の端部に連結された袖壁４１が、２階の天井レベルから、２階の床レベルまで延在していてもよい。あるいは、この場合、袖壁４１は、２階の天井レベルから、２階の床レベルを超えて１階の床レベルにまで延在していてもよい。
【００４９】
あるいは、住宅１０は、１階建てであってもよい。つまり、庇４２は、住宅の屋根（陸屋根）の軒部によって構成されてもよい。
【００５０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５１】
２  外壁、３  勾配屋根、６  開口部、１０  住宅、２１  正面外壁、２２  左側壁、２３  右側壁、３１，３２  傾斜部、４１，７１，７４  袖壁、４２  庇、６１，６３  窓、６２  扉、７２  手摺枠、７３  腰壁、８１  屋内空間、８２  庇下空間、８３  玄関アプローチ、８４  ベランダ、８５  バルコニー、２１０  基準面、２１１  第１の部分、２１２  第２の部分、２１３  第３の部分、２１４  第４の部分、８１１  公的空間、８１２  プライベート空間、８１３  間仕切壁。
【図１】
2016138388.tif 000003
【図２】
2016138388.tif 000004
【図３】
2016138388.tif 000005